(57)【要約】【課題】ＡＣ差込み口がないところでも使用することができ、停電或いは電池の消耗を考えることなく、時と場所を選ばずに長時間使用することができる円盤形照明灯を提供する。【解決手段】円盤形状を水平方向に分割し、分割した一方の側に照明ユニット、他方の側にソーラパネルユニットを備え、日照時と夜間時で照明ユニットとソーラパネルユニットを反転させることにより上下の反転状態に応じてオンオフする反転スイッチと、日照時にソーラパネルユニット側を上向きにすると反転スイッチがオフ状態となりソーラパネルで発電した電力を蓄電するバッテリーと、夜間時に照明ユニット側を上向きにすると反転スイッチがオン状態となりバッテリーに蓄電された電力によって照明ユニットを点灯するライトとを設けたことを特徴とする。【選択図】図３
0003176412.tif 000002
【実用新案登録請求の範囲】
【請求項１】
円盤形状を水平方向に分割し、分割した一方の側に照明ユニット、他方の側にソーラパネルユニットを備え、日照時と夜間時で前記照明ユニットと前記ソーラパネルユニットを反転させることにより上下の反転状態に応じてオンオフする反転スイッチと、日照時にソーラパネルユニット側を上向きにすると前記反転スイッチがオフ状態となりソーラパネルで発電した電力を蓄電するバッテリーと、夜間時に照明ユニット側を上向きにすると前記反転スイッチがオン状態となり前記バッテリーに蓄電された電力によって前記照明ユニットを点灯するライトとを設けたことを特徴とする円盤形照明灯。
【請求項２】
前記反転スイッチは、角度センサー、光センサー、重力センサーの何れかにより構成されることを特徴とする請求項１記載の円盤形照明灯。
【請求項３】
前記ライトは、少なくとも１個以上のＬＥＤ素子により構成されることを特徴とする請求項１記載の円盤形照明灯。
【考案の詳細な説明】
【技術分野】
【０００１】
本考案は、日照時に太陽光を受光して蓄電し、夜間時に蓄電した電力によってライトを点灯する円盤形照明灯に関する。
【背景技術】
【０００２】
従来から、寝室や廊下、玄関等の夜になると比較的暗いところに設置する照明灯として、ＡＣ差込み口に直接差し込むコンセント付のライト（例えば、特許文献１）やＡＣコード付或いは電池を内蔵したナイトスタンドが知られている。
【先行技術文献】
【特許文献】
【０００３】
【特許文献１】登録実用新案第３００９０７０号公報
【考案の概要】
【考案が解決しようとする課題】
【０００４】
ところが、従来のコンセント付のライトやナイトスタンドにおいては、近くにＡＣ差込み口が必要となるので、それが無いところでは使用できないという欠点があった。また、ＡＣ差込み口を使って使用中に地震等の災害が発生して停電となった場合においても使用できないという欠点があった。更に、電池を内蔵したナイトスタンドを使い続けると電池が消耗したり、ライトのフィラメントが切れて使用できなくなるという欠点があった。
【０００５】
本考案は上記のような問題点に鑑みてなされたもので、ＡＣ差込み口がないところでも使用することができ、停電或いは電池の消耗を考えることなく、時と場所を選ばずに長時間使用することができる円盤形照明灯を提供することを目的とする。
【課題を解決するための手段】
【０００６】
上記目的を達成するため、請求項１の考案は、円盤形状を水平方向に分割し、分割した一方の側に照明ユニット、他方の側にソーラパネルユニットを備え、日照時と夜間時で照明ユニットとソーラパネルユニットを反転させることにより上下の反転状態に応じてオンオフする反転スイッチと、日照時にソーラパネルユニット側を上向きにすると反転スイッチがオフ状態となりソーラパネルで発電した電力を蓄電するバッテリーと、夜間時に照明ユニット側を上向きにすると反転スイッチがオン状態となりバッテリーに蓄電された電力によって照明ユニットを点灯するライトとを設けたことを特徴とするものである。
【０００７】
また、請求項２の考案は、請求項１に記載の円盤形照明灯であって、反転スイッチは、角度センサー、光センサー、重力センサーの何れかにより構成されることを特徴とするものである。
【０００８】
また、請求項３の考案は、請求項１に記載の円盤形照明灯であって、ライトは、少なくとも１個以上のＬＥＤ素子により構成されることを特徴とするものである。
【考案の効果】
【０００９】
本考案によれば、円盤形状を水平方向に分割し、分割した一方の側に照明ユニット、他方の側にソーラパネルユニットを備え、日照時と夜間時で照明ユニットとソーラパネルユニットを反転させることにより上下の反転状態に応じてオンオフする反転スイッチと、日照時にソーラパネルユニット側を上向きにすると反転スイッチがオフ状態となりソーラパネルで発電した電力を蓄電するバッテリーと、夜間時に照明ユニット側を上向きにすると反転スイッチがオン状態となりバッテリーに蓄電された電力によって照明ユニットを点灯するライトとを設けたので、近くにＡＣ差込み口がないところでも使用することができ、停電或いは電池の消耗を考えることなく、時と場所を選ばずに使用することができる
【００１０】
また、反転スイッチは、角度センサー、光センサー、重力センサーの何れかにより構成されるので、ひっくり返すだけでバッテリーへの蓄電とライトの点灯を容易に行なうことができる。
【００１１】
また、ライトは、少なくとも１個以上のＬＥＤ素子により構成されるので、長時間使用することができる。
【図面の簡単な説明】
【００１２】
【図１】本考案の円盤形照明灯を真横から見た側面図である。
【図２】本考案の円盤形照明灯を斜め上方から見た状態を示し、（ａ）は日照時、（ｂ）は夜間時の使用状態を示した説明図である。
【図３】本考案の円盤形照明灯の回路図を示し、（ａ）は日照時、（ｂ）は夜間時の回路図である。
【考案を実施するための形態】
【実施例】
【００１３】
以下、本考案の実施例を添付の図面に基づいて説明する。図１、図２は本考案の円盤形照明灯の外観を示したもので、円盤形照明灯１は、図１に示すように、円盤形状を水平方向に分割し、分割した一方の側に照明ユニット２、他方の側にソーラパネルユニット３を備え、日照時には、図２（ａ）に示すように、ソーラパネルユニット側を上向きにして太陽光が当たるようにした状態で、夜間時には、図２（ｂ）に示すように、照明ユニット側を上向きにした状態で使用する。照明ユニット２は、照明カバー２ａで覆われ、照明カバー２ａの内部には少なくとも１個以上のＬＥＤ素子からなるライト２ｂが設けられる。ソーラパネルユニット３は、表面にソーラパネル３ａを貼着したソーラパネルカバー３ｂで覆われる。
【００１４】
図３は円盤形照明灯の内部回路を示したもので、図３（ａ）は日照時にソーラパネルユニット側を上向きにして太陽光が当たるようにした状態の回路図、図３（ｂ）は夜間時に照明ユニット側を上向きにした状態の回路図で、日照時と夜間時で照明ユニット２とソーラパネルユニット３を反転させることにより上下の反転状態に応じて反転スイッチ４がオンオフする。日照時には反転スイッチ４はオフ状態となるので、コントローラＩＣの制御により、ソーラパネル３ａで発電した電力をバッテリー５に蓄電する（図３（ａ））。夜間時には反転スイッチ４はオン状態となるので、コントローラＩＣの制御により、バッテリー５に蓄電された電力によって照明ユニット２のライト２ｂを点灯する（図３（ｂ））。
【００１５】
このように構成された円盤形照明灯１の動作を説明する。日照時にソーラパネルユニット側を上向きにした状態では、反転スイッチ４は、図３（ａ）に示すように、オフ状態となるので、コントローラＩＣの制御により、太陽光を受けたソーラパネル３ａで発電した電力がバッテリー５に蓄電される。一方、バッテリー５、チョークコイルＣＨ、逆流防止ダイオードＤＲを経由してライト２ｂに至る回路は反転スイッチ４のオフ状態により成立しない。
【００１６】
夜間時に照明ユニット２とソーラパネルユニット３を反転させ、照明ユニット側を上向きにした状態では、反転スイッチ４は、図３（ｂ）に示すように、オン状態となるので、コントローラＩＣの制御により、ソーラパネル３ａとバッテリー５は遮断される。一方、バッテリー５、チョークコイルＣＨ、逆流防止ダイオードＤＲを経由してライト２ｂに至る回路は反転スイッチ４のオン状態により成立し、バッテリー５に蓄電された電力によってライト２ｂが点灯する。
【００１７】
なお、本実施例では、反転スイッチ４は、上下を反転させる過程で角度が変わることを利用して角度センサーで構成したが、上下を反転させる過程で光量が変わることを利用して光センサーでも構成できる。また、上下を反転させる過程で重力が変わることを利用して重力センサーで構成しても好適である。
【００１８】
以上説明したように、本考案によれば、円盤形状を水平方向に分割し、分割した一方の側に照明ユニット、他方の側にソーラパネルユニットを備え、日照時と夜間時で照明ユニットとソーラパネルユニットをひっくり返すだけでバッテリーへの蓄電とライトの点灯を容易に行なうことができ、停電或いは電池の消耗を考えることなく、時と場所を選ばずに長時間使用することができる。
【符号の説明】
【００１９】
１  円盤形照明灯
２  照明ユニット
２ａ  照明カバー
２ｂ  ライト
３  ソーラパネルユニット
３ａ  ソーラパネル
３ｂ  ソーラパネルカバー
４  反転スイッチ
５  バッテリー
【図１】
0003176412.tif 000003
【図２】
0003176412.tif 000004
【図３】
0003176412.tif 000005